(57)【要約】      （修正有）【課題】ベース部を固定するビスの取付孔を減らすことのできる新たなホッパ用ハンガーと、そのホッパを搭載した組合せ計量装置を提供する。【解決手段】装置本体の外側壁２に取り付けられるベース部３と、ベース部の裏面に取り付けられ、裏面よりはみ出る位置までアーチ状に伸びるアーチ部材５と、を備えたハンガー１であって、外側壁には、アーチ部材が挿入可能な開口部６が形成され、ベース部は、開口部を塞ぐ大きさを有し、アーチ部材が開口部から装置本体内に挿入された状態で、ベース部で開口部が塞がれると、アーチ部材の終端部分が外側壁の内壁に圧接される。【選択図】図３
0003221867.tif 000002
【実用新案登録請求の範囲】
【請求項１】
装置本体の外側壁に取り付けられるベース部と、
前記ベース部の裏面に取り付けられ、該裏面よりはみ出る位置までアーチ状に伸びるアーチ部材と、を備え、
前記外側壁には、前記アーチ部材が挿入可能な開口部が形成され、
前記ベース部は、前記開口部を塞ぐ大きさを有して、
前記アーチ部材が前記開口部から前記装置本体内に挿入された状態で、前記ベース部で前記開口部が塞がれると、前記アーチ部材の終端部分が前記外側壁の内壁に圧接される構造であるハンガー。
【請求項２】
前記開口部は、装置本体内に工具が挿入される窓である、請求項１に記載のハンガー。
【請求項３】
前記ベース部の裏面と、前記外側壁との間には、前記開口部をシールするためのシール部材が設けられる、請求項１又は２に記載のハンガー。
【請求項４】
前記アーチ部材の終端部分と前記ベース部の裏面の下端との最小距離が、前記外側壁の肉厚に前記シール部材の肉厚を加えた厚さ以上であり、かつ、前記アーチ部材の終端部分と前記ベース部裏面からの垂直距離が前記外側壁の肉厚に前記シール部材の肉厚を加えた厚さ未満である請求項３に記載のハンガー。
【請求項５】
前記アーチ部材がアーチ状に伸びる方向とは逆方向の、前記ベース部の前記開口部と重ならない位置には、前記ベース部を前記外側壁に密着固定するボルト挿通孔が設けられている、請求項１〜４の何れか１項に記載のハンガー。
【請求項６】
前記装置が、複数のホッパが搭載された組合せ計量装置であって、前記ベース部の表側には、前記ホッパを引っ掛けて吊り下げるブラケットが設けられている、請求項１〜５の何れか１項に記載のハンガー。
【請求項７】
前記装置本体の外側壁が、前記ホッパのゲートを開閉させる駆動ユニットの前面外側壁である、請求項６に記載のハンガー。
【請求項８】
前記ホッパが、上流から供給される物品を一時的に保持して、下方の計量ホッパへ前記物品を排出するプールホッパである請求項６又は７に記載の組合せ計量装置。  
【考案の詳細な説明】
【技術分野】
【０００１】
本考案は、ホッパを吊り下げるホッパ用ハンガーと、該ホッパを複数備えた組合せ計量装置に関する。
【背景技術】
【０００２】
組合せ計量装置には、被計量物を一時的に貯留するホッパが複数個搭載されているが、それらのホッパは、日々の清掃に備えて、装置本体に簡単に着脱できるようになっている。具体的には、装置本体の外側壁にホッパ用ハンガーが取り付けられ、そのハンガーにホッパを引っ掛けて止めるようになっている。
【０００３】
一方、前記ハンガーが取り付けられる装置本体の外側壁には、装置内のロードセルの上下の限界位置を調整するための開口部が設けられ、その開口部が、前記ハンガーを支持するベース部によって密閉されるようになっている。そのため、ハンガーのベース部には、前記開口部を密閉するための複数のビス孔が設けられているが、このビス孔を少なくすると、ベース部による密閉が不完全になる。また、ビス孔を多くすると、ベース部の取付工数が増えるとともに、ビスの脱落によって被計量物に異物混入のリスクが高まる。また、被計量物が食品の場合には、食品の粉塵等がビスの頭に積もって衛生上好ましくない。
【先行技術文献】
【特許文献】
【０００４】
【特許文献１】特開２００５―０２４４５４号公報
【特許文献２】特開２００１−３４９７６８号公報
【考案の概要】
【考案が解決しようとする課題】
【０００５】
そうした背景において、組合せ計量装置では、先行技術文献に例示されるような種々のホッパの取付構造が提案されているが、前記開口部を密閉する前記ベース部の取付構造を改善するまでには至っていない。
【０００６】
本考案は、このベース部を固定するビスの取付孔を減らすことのできる新たなホッパ用ハンガーと、そのホッパを搭載した組合せ計量装置を提供することを課題とする。
【課題を解決するための手段】
【０００７】
本考案に係るハンガーは、
装置本体の外側壁に取り付けられるベース部と、
前記ベース部の裏面に取り付けられ、該裏面よりはみ出る位置までアーチ状に伸びるアーチ部材と、を備え、
前記外側壁には、前記アーチ部材が挿入可能な開口部が形成され、
前記ベース部は、前記開口部を塞ぐ大きさを有して、
前記アーチ部材が前記開口部から前記装置本体内に挿入された状態で、前記開口部が前記ベース部で塞がれると、前記アーチ部材の終端部分が前記外側壁の内壁に圧接される構造である。
【０００８】
使用に際しては、アーチ部材を開口部から装置本体内に挿入した後、ベース部で開口部を塞ぐように押し付ける。すると、アーチ部材の終端部分が開口部から離れた外側壁の内壁に圧接されるから、その反作用として、ベース部のアーチ部材と重なる部分が外側壁に押し付けられる。その結果、ベース部のアーチ部材と重なる部分をボルト等で外側壁に固定しなくても、ベース部のアーチ部材と重ならない部分をボルトでネジ止めするだけで、ベース部を開口部に密着固定させることができる。したがって、ベース部を取り付けるボルトの数を減らすことができる。
【０００９】
また、前記開口部は、装置本体内に工具が挿入される窓であることを特徴とする。
【００１０】
装置本体内には、例えば質量センサであるロードセルが組み込まれるが、そのロードセルには、計量ホッパと、そのゲート開閉機構とを含めた風袋荷重が負荷されるので、そうした風袋荷重を負荷させた状態で、ロードセルの上下方向の限界位量を調整する必要がある。この開口部は、そうした調整を行うために、スパナ等の工具が挿入できる窓として形成され、その窓際に、ロードセルの限界位置調整機構が臨まされている。
【００１１】
また、前記ベース部の裏面と、前記外側壁との間には、前記開口部をシールするためのシール部材が設けられることを特徴とする。
【００１２】
これにより、ベース部で開口部を塞いだときに、それらの間がシール部材によってシールされるから、装置本体内を防水仕様にすることができる。
【００１３】
また、前記アーチ部材の終端部分と前記ベース部の裏面の下端との最小距離が前記外側壁の肉厚に前記シール部材の肉厚を加えた厚さ以上であり、かつ、前記アーチ部材の主単部分と前記ベース部材の裏面からの垂直距離が前記外側壁の肉厚に前記シール部材の肉厚を加えた厚さ未満であることを特徴とする。
【００１４】
これにより、アーチ部材の終端部分とベース部の裏面との間に開口部の縁を挿入することができる。その状態からベース部の裏面を開口部に押し当てて開口部を塞ぐと、装置本体内に挿入されたアーチ部材の終端部分が外側壁の内壁に圧接されるから、その反作用として、ベース部の裏面がシール部材を押し潰しながら外側壁の表面に密着する。
また、ベース部の裏面を外側壁に沿わせた状態で、前記アーチ部材を前記外側壁の開口部に挿入できる場合は、前記アーチ部材の終端部分と前記ベース部の裏面との距離が、前記外側壁の肉厚以上であり、かつ、該肉厚に前記シール部材の肉厚を加えた厚さ未満であれば、ベース部の裏面を開口部に押し当てて開口部を塞ぐと、装置本体内に挿入されたアーチ部材の終端部分が外側壁の内壁に圧接するから、前述同様にベース部の裏面をシール部材を介して外側壁の表面に密着させることができる。
これにより、シール部材によってベース部と開口部との間が完全にシールされる。
【００１５】
また、アーチ部材がアーチ状に伸びる方向とは逆方向の、前記ベース部の前記開口部と重ならない位置には、前記ベース部を前記外側壁に密着固定するボルト挿通孔が設けられていることを特徴とする。
【００１６】
この場合のボルト挿通孔は、少なくとも１か所、好ましくは等距離離れた２か所に設けておけば足りる。これにより、ボルトの使用本数を減らすことができる。
【００１７】
また、前記装置が、複数のホッパが搭載された組合せ計量装置であって、前記ベース部の表側には、前記ホッパを引っ掛けて吊り下げるブラケットが設けられていることを特徴とする。
【００１８】
ここでの表側は、開口部を塞ぐベース部の裏面とは反対側の面である。したがって、ホッパは、ベース部の表側に設けられたブラケットに引っ掛けて吊り下げることができる。
【００１９】
また、前記装置本体の外側壁が、前記ホッパのゲートを開閉させる駆動ユニットの前面外側壁であることを特徴とする。
【００２０】
これにより、駆動ユニットの前面外側壁にホッパを着脱自在に装着することができるから、組合せ計量装置本体に対するホッパの着脱作業が容易になる。また、駆動ユニットの前面外側壁に開口部を設けることができるから、その開口部から駆動ユニット内をメンテナンスすることが可能になる。
【００２１】
さらに、前記ホッパが、上流から供給される物品を一時的に保持して、下方の計量ホッパへ前記物品を排出するプールホッパであることを特徴とする。
【００２２】
これにより、計量ホッパの上部に計量ホッパの質量を検出するロードセルを配置した場合に、前記開口部からロードセルの上下の限界位置を調整することができるから、装置を組み立てた後のメンテナンス性を向上させることができる。
【考案の効果】
【００２３】
本考案によれば、ホッパ用のハンガーを固定するためのボルトの使用本数を減らすことができるから、ボルトの取付工数を減らして、生産性を高めることができるとともに、ボルトの脱落による異物混入リスクを低減させることができる。
【図面の簡単な説明】
【００２４】
【図１】本考案に係る組合せ計量装置の一実施形態の外観斜視図。
【図２】プールホッパの一実施形態の外観斜視図。
【図３】ハンガーが取り付けられる駆動ユニットの一実施形態の外観斜視図。
【図４】ベース部裏面とアーチ部材の終端部分との距離、並びに、外側壁の肉厚との関係を説明する説明図。
【図５】上記ハンガーのベース部を外側壁に密着させた状態の説明図。
【考案を実施するための形態】
【００２５】
以下、図面を参照しながら、本考案の一実施形態を説明する。なお、以下に示す実施形態は、本考案の技術的範囲を限定するものではない。
【００２６】
図１は、本考案に係る組合せ計量装置の一実施形態の外観斜視図を示す。この図において、組合せ計量装置Ｗは、装置上部の分散供給装置ＤＳと、その下段に円周状に配列された複数のプールホッパＰＨと、さらにその下段に、各プールホッパＰＨに対応させて配列された複数の計量ホッパＷＨと、分散供給装置ＤＳの下部に配置されて、プールホッパＰＨと計量ホッパＷＨの各ゲートを個別に開閉させる駆動ユニットＤＵと、各計量ホッパＷＨから排出された物品を集合させて下端排出口から所定質量に組合された物品を排出する集合シュートＣＳと、これらを支持するベース部Ｂとを備えている。
【００２７】
装置上部に配置される分散供給装置ＤＳは、中央部に位置して、上方から供給される物品を周囲へ分散させる円錐形状の分散テーブルＤＴと、分散テーブルＤＴの外周に放射状に配列されて、分散テーブルＤＴから送り出された物品をさらに外周へと搬送する複数の放射フィーダＲＦとを備えている。
【００２８】
放射フィーダＲＦは、分散テーブルＤＴから搬送されてきた物品をプールホッパＰＨへ所定量ずつ送り出すもので、周知構成の放射トラフＲＴと、その放射トラフＲＴを所定時間振動させる図示しない電磁バイブレータとで構成されている。また、隣接する各放射トラフＲＴは、一方の側壁が他方の放射トラフＲＴの側壁に非接触でオーバーラップして、各放射トラフＲＴが連鎖状に繋がった状態で全体が一つの受け皿となるように構成されている。
【００２９】
各放射フィーダＲＦの先端部には、プールホッパＰＨが円周状に配列されて、放射フィーダＲＦから供給される物品を対応する各プールホッパＰＨで一時的に蓄えるようになっている。また、分散供給装置ＤＳの下部には、プールホッパＰＨと計量ホッパＷＨを個別に駆動する後述の駆動ユニットＤＣが収められている。
【００３０】
図２は、プールホッパＰＨを背面側から見た一実施形態の外観斜視図を示す。この図２において、プールホッパＰＨの背面には、水平方向に所定距離離れた一対の支持板ＳＰが上下方向に取り付けられ、それらの支持板ＳＰの間には、水平な２本の支持棒Ｓ１、Ｓ２が上下に所定距離離して取り付けられている。
【００３１】
このプールホッパＰＨを図３に示すハンガー１に引っ掛けるときは、プールホッパＰＨの背面に設けられた各支持棒Ｓ１，Ｓ２を図３のハンガー１のブラケット４に引っ掛けて吊り下げる。
【００３２】
具体的には、ブラケット４の上部には、側面視Ｕ字状の溝部４０が形成され、そこに上部の支持棒Ｓ１を引っ掛けて止める。また、ブラケット４の下部には、下部の支持棒Ｓ２を水平方向から規制する鉛直面４１が形成されている。そして、プールホッパＰＨの上部支持棒Ｓ１を溝部４０に引っ掛けて止めると、下部支持棒Ｓ２が鉛直面４１に当接して、安定した状態で吊り下げられるようになっている。
【００３３】
なお、図２のプールホッパＰＨは、下端部に一対の両開きゲートＧが設けられ、それらのゲートＧは、ホッパ本体側面のリンク機構ＬＭのレバーＬを上方に跳ね上げれば、互いに反対方向に開いて、内部に収納された物品を排出するようになっている。
【００３４】
図３は、組合せ計量装置Ｗの本体から取り出した駆動ユニットＤＣの一実施形態の外観斜視図を示す。この駆動ユニットＤＵの前面外側壁２には、図２のプールホッパＰＨを吊り下げるハンガー１が取り付けられるが、図３では、前面外側壁２に設けられた開口部６を見せるため、ハンガー１を駆動ユニットＤＵの前面から分離した状態で示している。
【００３５】
この図３において、駆動ユニットＤＵの、向かって右側の側壁には、プールホッパＰＨのゲートを開閉させる回動レバーＤ１が設けられ、駆動ユニットＤＵ下部のブロック１１には、計量ホッパＷＨ用のハンガー１０が取り付けられている。また、このブロック１１の、向かって左側の側面には、計量ホッパＷＨのゲートを開閉させる、図示しない回動レバーが設けられている。これらのゲートを開閉させる各回動レバーの主要な駆動機構は、駆動ユニットＤＵ内に収納されている。
なお、プールホッパＰＨ用の回動レバーＤ１には、プールホッパＰＨの前記レバーＬに設けられたコロＲを上下から挟んで揺動させる周知の開閉レバーが取り付けられるが、図３では、その開閉レバーを省略して、それを取り付けるボルトだけを示している。
【００３６】
また、駆動ユニットＤＵ内には、前述の駆動機構の他に、計量ホッパＷＨの荷重が負荷される図示しないロードセルが組み込まれている。そして、ロードセルの上下の限界位置を調整するための工具挿入用の開口部６が、駆動ユニットＤＵの前面外側壁２に設けられている。なお、開口部６の窓際には、ロードセルの上下の限界位置を調整する調整用ナット６０が配置され、そのナット６０をスパナで回して調整するようになっている。
【００３７】
プールホッパＰＨ用のハンガー１は、駆動ユニットＤＵの前面外側壁２に固定されるベース部３と、該ベース部３の両サイドから上方に伸びる、水平方向に所定距離離れた一対のブラケット４と、前記ベース部３の裏面からはみ出る位置までアーチ状に伸びる、同じく水平方向に所定距離離れた一対のアーチ部材５と、を備えている。なお、図３では、アーチ部材５は、右側しか見えないが、所定距離離れた、向かって左側にも同様なアーチ部材５が設けられている。
【００３８】
前記ベース部３は、前記開口部６を被う大きさの金属板、たとえばステンレス板で形成され、この開口部６の周囲には、ベース部３で開口部６を塞いだときの隙間をシールするゴム製のシール部材７が設けられている。また、このシール部材７で囲まれた開口部６の周囲には、一定の圧縮率でシール部材７の変形を規制する、図示しない段差部が設けられている。
【００３９】
アーチ部材５は、図４に示すように、ベース部３の裏面から略垂直に方向に下向きに突出するとともに、前面外側壁２の内壁に向けてアーチ状に形成されており、その終端部分５１は、前面外側壁２の内壁に当接するようになっている。
【００４０】
具体的には、アーチ部材５の終端部分５１とベース部３の裏面の下端３２との最小距離Ｌ１は、前面外側壁２の肉厚にシール部材７の肉厚を加えた厚さＴ以上であって、かつ、アーチ部材５の終端部分５１と、ベース部３の裏面からの垂直距離Ｌ２は、前記肉厚Ｔ未満となるように設計されている。
【００４１】
これにより、アーチ部材５を駆動ユニットＤＵ内に挿入すると、アーチ部材５の終端部分５１とベース部３の裏面との間に開口部６の縁部６１を挿入することができる。その状態からベース部３を起こして、図５に示すように、ベース部３の裏面を前面外側壁２に押し当てると、駆動ユニットＤＵ内に挿入されたアーチ部材５の終端部分５１が前面外側壁２の内壁に圧接されるから、その反作用として、ベース部３の裏面がシール部材５を押し潰しながら、前面外側壁２の表面に密着する。
【００４２】
その際、ベース部３の上部を駆動ユニットＤＵの前面外側壁２に強く押し付ける必要があるから、ベース部３の上部には、図３に示すように、ボルト挿通孔３１が水平方向に２カ所設けられ、それと対向する前面外側壁２の対応箇所にも、ネジ穴２１が２カ所設けられて、図示しないボルトでもってベース部３を駆動ユニットＤＵの前面外側壁２に固定できるようになっている。
【００４３】
また、図３において、計量ホッパＷＨ用のハンガー１０が取り付けられたブロック１１には、計量ホッパＷＨのゲートを開閉させる図示しない回動レバーが組み込まれるが、その回動レバーの駆動機構と計量ホッパＷＨの重量とを合わせたブロック１１の荷重が、ダイヤフラム１２等のシール部材を介して駆動ユニットＤＵ内のロードセルに負荷されるようになっている。
【００４４】
なお、計量ホッパＷＨ用のブラケット１０の上部には、プールホッパＰＨ用のブラケット１に設けられた溝部４０と同様な溝部１３が設けられ、さらにその上方には、計量ホッパＷＨの背面に設けられた、図２の水平支持棒Ｓ１、Ｓ２と同様な計量ホッパＷＨ用の支持棒を溝部１３に案内する傾斜板１４が設けられている。これにより、計量ホッパＷＨの背面に設けられた支持棒を傾斜板１４に乗せるだけで、支持棒が溝部１２に滑落して、計量ホッパＷＨがブラケット１０に吊り下げられるようになっている。
【００４５】
以上、本考案の一実施形態を説明したが、本考案は、これに限定されるものではなく、その他の構成も採用可能である。例えばこの実施形態では、図４に示すように、アーチ部材５をベース部３から下方に伸ばして、ベース部３の下端部とアーチ部材５とで、開口部６の下側縁部を挟むようにしたが、このアーチ部材５をベース部３の側方からはみ出すように伸ばして、ベース部３の側面と、側方に伸ばしたアーチ部材５とで、開口部６の側縁部を挟むようにしても良い。この場合には、ベース部３が開き戸のように、開口部６の右側縁部、あるいは、左側縁部を回転軸として回動する構成となる。したがって、アーチ部材５は、ベース部の裏面からはみ出る位置までアーチ状に伸びていればよい。
【００４６】
また、上記実施形態では、ボルトでベース部３を前面外側壁２にネジ止めするようにしたが、これに代えて、前面外側壁２にボルトを埋め込み、そのボルトにベース部３のボルト挿通孔３１を通して、抜け止め防止ナットでベース部３を前面外側壁２に締め付けて固定するようにしてもよい。こうすれば、ナットの脱落による異物混入のリスクをさらに低減することができる。
【符号の説明】
【００４７】
１      ハンガー
２      外側壁（前面外側壁）
３      ベース部
４      ブラケット
５      アーチ部材
６      開口部
７      シール部材
２０      内壁
３１      ボルト挿通孔
３２      ベース部裏面の下端
５１      アーチ部材の終端部分
ＰＨ      プールホッパ
ＷＨ      計量ホッパ
ＤＵ      駆動ユニット
Ｗ      組合せ計量装置
【図１】
0003221867.tif 000003
【図２】
0003221867.tif 000004
【図３】
0003221867.tif 000005
【図４】
0003221867.tif 000006
【図５】
0003221867.tif 000007
【手続補正書】
【提出日】平成31年4月10日(2019.4.10)
【手続補正１】
【補正対象書類名】実用新案登録請求の範囲
【補正対象項目名】請求項８
【補正方法】変更
【補正の内容】
【請求項８】
請求項６又は７に記載のハンガーを備えた組合せ計量装置であって、前記ホッパが、上流から供給される物品を一時的に保持して、下方の計量ホッパへ前記物品を排出するプールホッパである、組合せ計量装置。